(57)【要約】【課題】導入容易性及び拡張性の高い停電灯用電源装置を提供する。【解決手段】停電灯用電源装置２は、蓄電池２０と、入力電源が供給されて蓄電池２０を充電する充電回路１０と、充電回路１０の出力電圧又は蓄電池２０の電圧を電源として光源３に電力を供給する出力回路４０と、通信線ＬからＤＡＬＩ通信規格に準拠した制御信号を受信する受信部５１と、制御信号が点検指令を示す場合に充電回路１０の出力を停止させる動作切換部５２とを備える。【選択図】  図１
2018073601.tif 000002
【特許請求の範囲】
【請求項１】
停電灯用電源装置であって、
蓄電池と、
入力電源が供給されて前記蓄電池を充電する充電回路と、
前記充電回路の出力電圧又は前記蓄電池の電圧を電源として光源に電力を供給する出力回路と、
通信線からＤＡＬＩ通信規格に準拠した制御信号を受信する受信部と、
前記制御信号が点検指令を示す場合に前記充電回路の出力を停止させる動作切換部と
を備えた停電灯用電源装置。
【請求項２】
請求項１に記載の少なくとも１つの停電灯用電源装置と、
前記ＤＡＬＩ通信規格に準拠した制御信号を生成する制御信号生成部及び前記制御信号を前記通信線に送出する送信部を含むマスタ装置と
を備えた停電灯制御システム。
【請求項３】
前記蓄電池の電圧を検出電圧として検出する電圧検出回路と、
前記検出電圧に基づいてＤＡＬＩ通信規格に準拠したデータ信号を生成するデータ信号生成部と、
前記データ信号を前記通信線に送出する送信部と
をさらに備えた請求項１に記載の停電灯用電源装置。
【請求項４】
前記蓄電池の充電電流又は放電電流を検出電流として検出する電流検出回路と、
前記検出電流に基づいてＤＡＬＩ通信規格に準拠したデータ信号を生成するデータ信号生成部と、
前記データ信号を前記通信線に送出する送信部と
をさらに備えた請求項１又は３に記載の停電灯用電源装置。
【請求項５】
前記制御信号がモニタ指令を示す場合に、前記動作切換部が前記充電回路の出力動作を維持するとともに、前記データ信号生成部が前記検出電圧又は前記検出電流に基づいてＤＡＬＩ通信規格に準拠したデータ信号を生成するように構成された、請求項３又は４に記載の停電灯用電源装置。
【請求項６】
請求項３から５のいずれか一項に記載の少なくとも１つの停電灯用電源装置と、
前記ＤＡＬＩ通信規格に準拠した制御信号を生成する制御信号生成部、前記制御信号を前記通信線に送出する送信部、前記ＤＡＬＩ通信規格に準拠したデータ信号を受信する受信部、前記データ信号に基づいて前記蓄電池又は前記停電灯用電源装置に関する状態情報を生成する情報生成部、及び前記状態情報を表示する表示部を有するマスタ装置と
を備えた停電灯制御システム。
【請求項７】
第１のグループアドレスを有し、請求項１、３、４又は５に記載の少なくとも１つの停電灯用電源装置を含む第１のグループと、
第２のグループアドレスを有し、少なくとも１つの照明用電源装置を含む第２のグループと、
前記第１のグループの停電灯用電源装置及び前記第２のグループの照明用電源装置に接続され、前記第１のグループアドレス及び前記第２のグループアドレスにＤＡＬＩ通信規格に準拠した個別の指令を示す制御信号を送信するように構成されたマスタ装置と
を備えた停電灯制御システム。
【請求項８】
各々が個別アドレスを有する請求項１、３、４又は５に記載の少なくとも１つの停電灯用電源装置と、
各々が個別アドレスを有する少なくとも１つの照明用電源装置と、
前記少なくとも１つの停電灯用電源装置及び前記少なくとも１つの照明用電源装置に接続され、前記個別アドレスにＤＡＬＩ通信規格に準拠した個別の指令を示す制御信号を送信するように構成されたマスタ装置と
を備えた停電灯制御システム。
【請求項９】
停電灯用電源装置であって、
蓄電池と、
入力電源が供給されて前記蓄電池を充電する充電回路と、
前記充電回路の出力電圧又は前記蓄電池の電圧を電源として光源に電力を供給する出力回路と、
通信線からＤＭＸ５１２通信規格に準拠した制御信号を受信する入力部と、
前記制御信号が点検指令を示す場合に前記充電回路の出力を停止させる動作切換部と
を備えた停電灯用電源装置。
【請求項１０】
請求項９に記載の少なくとも１つの停電灯用電源装置と、
前記ＤＭＸ５１２通信規格に準拠した制御信号を生成する制御信号生成部及び前記制御信号を前記通信線に送出する送信部を有するマスタ装置と
を備えた停電灯制御システム。
【請求項１１】
請求項１、３、４、５又は９に記載の停電灯用電源装置と、前記光源とを備えた停電灯装置。
【発明の詳細な説明】
【技術分野】
【０００１】
本発明は、停電灯用電源装置、停電灯装置及び停電灯制御システムに関する。
【背景技術】
【０００２】
一般に、停電灯装置においては、交流電源が供給される通常時には蓄電池が充電回路によって充電されるとともに交流電源を電源として光源が点灯され、交流電源が供給されない停電時には蓄電池を電源として光源が点灯される。このような停電灯装置は定期的な点検を必要とし、この点検においては意図的に蓄電池を電源とした光源の点灯が実施される。この点検作業には、従来では停電灯装置本体に取り付けられたスイッチを押す等、直接停電灯装置を手動操作する必要があり、作業効率が低かった。そこで、点検のために通信を用いる構成が提案されている。
【０００３】
例えば、特許文献１は、常時は商用電源で非常用を点灯するとともに停電時は蓄電池を電源として非常灯を点灯する非常用照明装置において、リモコン送信器からの可視光を受光し、その可視光信号を処理して蓄電池を電源として非常灯を点灯させる構成を開示する。また、特許文献２には、誘導灯自動点検装置の通信部とそれにネットワーク接続された誘導灯制御監視盤との間で信号を送受信し、所定時間以上にわたってランプを非常用電源で点灯させる点検を行い、装置の制御及び監視を行う構成が開示される。また、特許文献３には、複数の照明器具が通信手段を介して制御手段に接続された照明システムにおいて、制御手段がスケジュールに従って各照明器具を通常モードから点検モードに切り換え、規定の時間にわたって電池でランプを点灯する構成が開示される。
【先行技術文献】
【特許文献】
【０００４】
【特許文献１】特開２００９−３２４４２号公報
【特許文献２】特開２００４−１１１３４７号公報
【特許文献３】特開２００７−１５７３９５号公報
【発明の概要】
【発明が解決しようとする課題】
【０００５】
しかし、上記各特許文献に開示される構成によると、各照明装置の点検のために専用の通信仕様が使用されることになる。そのため、照明装置又は照明システムの導入容易性及び拡張性が低いという問題がある。例えば、照明システムの導入に際して、ユーザは上記専用の通信仕様を新たに理解して敷設作業及び各種設定を行う必要があり、これがシステム導入容易性を低下させ得る。また、照明システムにおけるマスタ装置又はスレーブ装置を増設又は変更する場合に、この照明システムの通信仕様と同じマスタ装置及びスレーブ装置（例えば、その照明システムの製造元と同じ製造元から供給されるマスタ装置又はスレーブ装置）しかシステムに適合しないことになり、これがシステム拡張の制約となり得る。
【０００６】
そこで、本発明は、導入容易性及び拡張性の高い停電灯用電源装置、停電灯装置及び停電灯制御システムを提供することを課題とする。
【課題を解決するための手段】
【０００７】
本開示の第１の形態による停電灯用電源装置は、蓄電池と、入力電源が供給されて蓄電池を充電する充電回路と、充電回路の出力電圧又は蓄電池の電圧を電源として光源に電力を供給する出力回路と、通信線からＤＡＬＩ通信規格に準拠した制御信号を受信する受信部と、制御信号が点検指令を示す場合に充電回路の出力を停止させる動作切換部とを備える。また、この停電灯用電源装置及び光源は停電灯装置を構成する。
【０００８】
上記の停電灯用電源装置によると、ＤＡＬＩ通信規格に準拠した制御信号が受信され、その制御信号が点検指令である場合に、充電回路の出力が停止されて蓄電池を電源とした点灯が行われる。このように、点検処理実施のために汎用的な通信規格であるＤＡＬＩによる制御信号が使用される構成によって、導入容易性及び拡張性の高い停電灯用電源装置及び停電灯装置が実現される。
【０００９】
第１の形態における停電灯制御システムは、少なくとも１つの上記停電灯用電源装置と、ＤＡＬＩ通信規格に準拠した制御信号を生成する制御信号生成部及び制御信号を通信線に送出する送信部を有するマスタ装置とを備える。このように、汎用的な通信規格であるＤＡＬＩによる制御信号を用いて停電灯用電源装置及びマスタ装置が接続されるので、導入容易性及び拡張性の高い停電灯制御システムが実現される。
【００１０】
また、上記停電灯用電源装置は、蓄電池の電圧を検出電圧として検出する電圧検出回路、検出電圧に基づいてＤＡＬＩ通信規格に準拠したデータ信号を生成するデータ信号生成部と、データ信号を通信線に送出する送信部をさらに備えていてもよい。また、上記停電灯用電源装置は、蓄電池の充電電流又は放電電流を検出電流として検出する電流検出回路と、検出電流に基づいてＤＡＬＩ通信規格に準拠したデータ信号を生成するデータ信号生成部と、データ信号を通信線に送出する送信部とをさらに備えていてもよい。これにより、ＤＡＬＩによる双方向通信を用いて検出電圧又は検出電流に基づいた点検作業が行われるので、簡素な構成において点検作業が一層効率的となる。
【００１１】
またさらに、制御信号がモニタ指令を示す場合に、動作切換部が充電回路の出力動作を維持するとともに、データ信号生成部が検出電圧又は検出電流に基づいてＤＡＬＩ通信規格に準拠したデータ信号を生成するように構成されもよい。このようなモニタ処理によって、検出電圧又は検出電流の異常、すなわち蓄電池の異常、さらには充電回路、出力回路又はＬＥＤアレイの異常についての早期の認識が可能となる。
【００１２】
この場合、停電灯制御システムは、少なくとも１つの上記停電灯用電源装置と、ＤＡＬＩ通信規格に準拠した制御信号を生成する制御信号生成部、制御信号を通信線に送出する送信部、ＤＡＬＩ通信規格に準拠したデータ信号を受信する受信部、データ信号に基づいて蓄電池又は停電灯用電源装置に関する状態情報を生成する情報生成部、及び状態情報を表示する表示部を有するマスタ装置とを備える。このように、汎用的な通信規格であるＤＡＬＩによる双方向通信を用いて停電灯用電源装置及びマスタ装置が接続されるとともに検出電圧又は検出電流に基づいた点検作業が行われるので、導入容易性及び拡張性の高い停電灯制御システムが実現されるとともに簡素な構成において点検作業が一層効率的となる。
【００１３】
本開示の第２の形態による停電灯制御システムは、第１のグループアドレスを有して少なくとも１つの上記停電灯用電源装置を含む第１のグループと、第２のグループアドレスを有して少なくとも１つの照明用電源装置を含む第２のグループと、第１のグループの停電灯用電源装置及び第２のグループの照明用電源装置に接続され、第１のグループアドレス及び第２のグループアドレスにＤＡＬＩ通信規格に準拠した個別の指令を示す制御信号を送信するように構成されたマスタ装置とを備える。また、停電灯制御システムは、各々が個別アドレスを有する少なくとも１つの上記停電灯用電源装置と、各々が個別アドレスを有する少なくとも１つの照明用電源装置と、上記少なくとも１つの停電灯用電源装置及び少なくとも１つの照明用電源装置に接続され、個別アドレスにＤＡＬＩ通信規格に準拠した個別の指令を示す制御信号を送信するように構成されたマスタ装置とを備える。
【００１４】
このように、この停電灯制御システムによると、ＤＡＬＩ通信におけるグループアドレス機能又は個別アドレス機能を用いて停電灯用電源装置及び他の照明用電源装置の統括的又は個別的な制御が可能となる。したがって、導入容易性及び拡張性の高い停電灯制御システムが実現される。
【００１５】
本開示の第３の形態による停電灯用電源装置は、蓄電池と、入力電源が供給されて蓄電池を充電する充電回路と、充電回路の出力電圧又は蓄電池の電圧を電源として光源に電力を供給する出力回路と、通信線からＤＭＸ５１２通信規格に準拠した制御信号を受信する入力部と、制御信号が点検指令を示す場合に充電回路の出力を停止させる動作切換部とを備える。また、この停電灯用電源装置及び光源は停電灯装置を構成する。
【００１６】
この停電灯用電源装置によると、ＤＭＸ５１２通信規格に準拠した制御信号が受信され、その制御信号が点検指令である場合に、充電回路の出力が停止されて蓄電池を電源とした点灯が行われる。このように、点検処理実施のために汎用的な通信規格であるＤＭＸ５１２による制御信号が使用される構成によって、導入容易性及び拡張性の高い停電灯用電源装置及び停電灯装置が実現される。
【００１７】
第３の形態による停電灯制御システムは、少なくとも１つの停電灯用電源装置と、ＤＭＸ５１２通信規格に準拠した制御信号を生成する制御信号生成部及び制御信号を通信線に送出する送信部を有するマスタ装置とを備える。このように、汎用的なＤＭＸ５１２による制御信号を適用して停電灯用電源装置及びマスタ装置が接続されるので、導入容易及び拡張性の高い停電灯制御システムが実現される。
【図面の簡単な説明】
【００１８】
【図１】第１の実施形態による停電灯制御システムのブロック図である。
【図２】ＤＡＬＩ信号のＦｏｒｗａｒｄフレームを示す図である。
【図３】ＤＡＬＩ信号のＢａｃｋｗａｒｄフレームを示す図である。
【図４】第２の実施形態による停電灯制御システムのブロック図である。
【図５】第３の実施形態による停電灯制御システムのブロック図である。
【発明を実施するための形態】
【００１９】
＜第１の実施形態＞
図１に、本発明の第１の実施形態による停電灯制御システム１のブロック図を示す。停電灯制御システム１は、停電灯用電源装置２−１〜２−ｎ、光源（ＬＥＤアレイ）３−１〜３−ｎ及びＤＡＬＩマスタ装置４を含む。ＤＡＬＩ（Ｄｉｇｉｔａｌ  Ａｄｄｒｅｓｓａｂｌｅ  Ｌｉｇｈｔｉｎｇ  Ｉｎｔｅｒｆａｃｅ）は、国際通信規格の１つである。停電灯用電源装置２−１〜２−ｎは、それぞれ商用電源等の交流電源ＡＣに接続されるとともに、ＤＡＬＩマスタ装置４に二線式の通信線Ｌを介して接続される。各図において交流電源ＡＣを個別の電源として図示されているが、各交流電源ＡＣは同じ系統のものであっても異なる系統のものであってもよい。停電灯用電源装置２−１〜２−ｎの各々は同一の回路構成を有する。以降の説明において、停電灯用電源装置２−１〜２−ｎを総称して、又はその１つを代表して停電灯用電源装置２といい、ＬＥＤアレイ３−１〜３−ｎを総称して、又はその１つを代表してＬＥＤアレイ３という。一対の停電灯用電源装置２及びＬＥＤアレイ３が１つの停電灯装置を構成する。
【００２０】
停電灯用電源装置２は、充電回路１０、蓄電池２０、検出回路３０、出力回路４０及び制御部５０を含む。停電灯用電源装置２には、入力電源として商用電源等の交流電源ＡＣが供給され、制御信号としてＤＡＬＩマスタ装置４からの制御信号が入力され、停電灯用電源装置２から所定の直流電流がＬＥＤアレイ３に供給される。また、本開示でいう停電灯とは、非常灯、誘導灯等であり、交流電源ＡＣが供給されている場合（以下、「通常時」という）に光源を点灯するだけでなく、交流電源ＡＣが遮断された場合（以下、「停電時」という）でも一定時間にわたって光源を点灯継続する機能を有する照明装置のことをいうものとする。
【００２１】
充電回路１０は、ダイオードブリッジＤＢ、コンデンサ１１、スイッチング素子１２（以下、「ＦＥＴ１２」という）、トランス１３、ダイオード１４、コンデンサ１５及びドライバ１６を含み、絶縁型のフライバックコンバータを構成する。このフライバックコンバータは、好ましくは、入力側のコンデンサ１１の容量が出力側のコンデンサ１５の容量よりも小さい力率改善型の昇圧コンバータである（なお、仕様に応じて降圧コンバータであってもよい）。ドライバ１６は制御部５０からのオン／オフ信号の入力を受け、ＦＥＴ１２はドライバ１６によってＰＷＭ駆動される。入力電源が供給され、かつドライバ１６がＦＥＴ１２をスイッチングしている状態で、充電回路１０は、入力電源を全波整流及び昇圧して蓄電池２０を充電するとともに出力回路４０の入力電圧を供給する。充電回路１０は、停電灯用電源装置２の力率改善回路及び蓄電池２０の充電回路として機能する。
【００２２】
検出回路３０は、電圧検出回路３１及び電流検出回路３２を含む。電圧検出回路３１は、蓄電池２０に並列接続された抵抗分圧回路からなり、蓄電池２０の電圧を検出して検出電圧を制御部５０に入力する。電流検出回路３２は、蓄電池２０に直列接続された低抵抗素子からなり、蓄電池の充電電流又は放電電流を検出して検出電流を制御部５０に入力する。
【００２３】
出力回路４０は、降圧チョッパ回路（バックコンバータ）、フライバックコンバータ等のＤＣ／ＤＣコンバータである。出力回路４０は、充電回路１０の出力電圧又は蓄電池２０の電圧を電源として定電流制御を行い、一定のＬＥＤ電流をＬＥＤアレイ３に供給する。したがって、ＬＥＤアレイ３は、通常時の充電回路１０の動作時には交流電源ＡＣを電源として出力回路４０によって定電流点灯され（以下、「通常点灯」という）、充電回路の出力停止時には蓄電池２０を電源として出力回路４０によって定電流点灯される。
【００２４】
制御部５０は、受信部５１、動作切換部５２、データ信号生成部５３及び送信部５４を含む。動作切換部５２及びデータ信号生成部５３は、例えば、マイコンのＣＰＵの一部であればよい。概略として、制御部５０は、ＤＡＬＩマスタ装置４とＤＡＬＩ通信を半二重通信により行うとともに、充電回路１０の出力実行／出力停止を制御する。
【００２５】
受信部５１は、ＤＡＬＩマスタ装置４から通信線Ｌを介してＤＡＬＩ形式の制御信号（マンチェスタ符号化された信号）を受信し、受信制御信号を復号してＤＡＬＩ規格に準拠したＦｏｒｗａｒｄフレームを出力する。
【００２６】
図２に、Ｆｏｒｗａｒｄフレームの構成を示す。Ｆｏｒｗａｒｄフレームは、スタートビット（１ビット）、アドレスビットＹ、Ａ５〜Ａ０及びＳ（８ビット）、データビットＤ７〜Ｄ０（８ビット）並びにストップビット（２ビット）からなる。アドレスビットＹ及びＳは特定のコマンドに使用されるビットであり、アドレスビットＡ５〜Ａ０によって６４個のアドレスが設定可能である。言い換えると、６４台の停電灯用電源装置２が１台のＤＡＬＩマスタ装置４に接続可能である。
【００２７】
動作切換部５２は、復号された制御信号のアドレスビットが示すアドレスが当該停電灯用電源装置２のアドレスである場合に制御信号のデータビットから指令を識別する。動作切換部５２は、識別された指令が点検指令である場合には、ドライバ１６にオフ信号を出力してＦＥＴ１２のスイッチングを停止させ、充電回路１０の出力を停止させる。また、動作切換部５２は、識別された指令が点検終了指令である場合には、ドライバ１６にオン信号を出力してＦＥＴ１２のスイッチングを開始させ、充電回路１０の出力を再開及び維持する。なお、動作切換部５２は、制御信号を受信しない場合には、充電回路１０の最新の動作状態（出力実行又は出力停止）を維持するものとする。
【００２８】
データ信号生成部５３は、動作切換部５２と同様に、復号された制御信号のアドレスビットが示すアドレスが当該停電灯用電源装置２のアドレスである場合に制御信号のデータビットから指令を識別する。データ信号生成部５３は、識別された指令が点検指令又はモニタ指令である場合には、検出回路３０から入力された検出電圧及び検出電流の少なくとも一方を示すデータ信号をＤＡＬＩ規格に準拠したＢａｃｋｗａｒｄフレームを用いて生成する。
【００２９】
図３に示すように、Ｂａｃｋｗａｒｄフレームは、スタートビット（１ビット）、データビットＤ７〜Ｄ０（８ビット）及びストップビット（２ビット）からなる。すなわち、データ信号生成部５３は、データビットを用いて検出電圧及び検出電流の一方又は両方（必要に応じて自装置アドレス）を示すＤＡＬＩ形式のデータ信号を生成する。
【００３０】
送信部５４は、生成されたデータ信号のマンチェスタ符号化を行い、その符号化データ信号を通信線Ｌに送出してＤＡＬＩマスタ装置４に送信する。
【００３１】
ＤＡＬＩマスタ装置４は、入力インターフェイス６０、制御信号生成部６１、送信部６２、受信部６３、情報生成部６４及び表示部６５を含み、例えば制御盤を構成する。表示部６５は、液晶表示画面等である。入力インターフェイス６０は、ユーザ入力を受け付ける操作部であり、表示部６５がタッチパネルである場合の表示画面であってもよい。
【００３２】
制御信号生成部６１は、ユーザ入力に基づいて停電灯用電源装置２の各々の動作指令を示す制御信号（Ｆｏｒｗａｒｄフレーム）を生成する。
【００３３】
送信部６２は、制御信号生成部６１によって生成された制御信号のマンチェスタ符号化を行い、その制御信号を通信線Ｌに送出して各停電灯用電源装置２に送信する。
【００３４】
受信部６３は、各停電灯用電源装置２から通信線Ｌを介してデータ信号（マンチェスタ符号化された信号）を受信し、受信データ信号を復号してＢａｃｋｗａｒｄフレームを生成する。
【００３５】
情報生成部６４は、復号されたデータ信号から各停電灯用電源装置２の蓄電池２０の状態（正常／異常の別、劣化度合い、寿命の進行度等）を示す状態情報を生成し、この状態情報を表示部６５に表示させる。状態情報は、蓄電池２０の状態だけでなく停電灯用電源装置２の状態を示す場合もある。また、情報生成部６４は、制御信号生成部６１から取得される送信アドレス又はデータ信号にアドレスが含まれる場合にはそのアドレスに基づいて、アドレス情報を状態情報とともに表示部６５に表示させることもできる。
【００３６】
・個別点検の動作例
通常時に停電灯用電源装置２−ｋ（１≦ｋ≦ｎ）の個別点検を行う場合の動作について説明する。ＤＡＬＩマスタ装置４において、入力インターフェイス６０を介して点検の指令がユーザ入力される。制御信号生成部６１は、点検開始の指令を示す制御信号（Ｆｏｒｗａｒｄフレーム）を生成する。例えば、制御信号生成部６１は、アドレスビットを停電灯用電源装置２−ｋに対応するアドレスに設定し、データビットを予め定義された点検指令の値（コマンド）に設定する。そして、送信部６２が、この制御信号を停電灯用電源装置２−ｋに送信する。
【００３７】
これに応じて、停電灯用電源装置２−ｋの制御部５０において、動作切換部５２は、受信部５１によって受信された制御信号（点検指令）に応じて点検動作のためのオフ信号を充電回路１０に出力する。オフ信号によって、ドライバ１６によるＦＥＴ１２のスイッチングが停止される。したがって、停電灯用電源装置２−ｋにおいて、交流電源ＡＣが供給された状態においても疑似的な停電状態が形成され、蓄電池２０を電源とする出力回路４０によるＬＥＤアレイ３の点灯が開始される。これにより、ユーザは、停電灯用電源装置２−ｋ及びＬＥＤアレイ３の点灯（正常）／消灯（異常）の別を確認することができる。
【００３８】
データ信号生成部５３は、点検指令に応じて、検出回路３０によって検出される検出電圧及び検出電流の少なくとも一方を示すデータ信号（Ｂａｃｋｗａｒｄフレーム）を生成し、送信部５４がこのデータ信号をＤＡＬＩマスタ装置４に送信する。ＤＡＬＩマスタ装置４では、受信部６３によって受信されたデータ信号に基づいて、情報生成部６４が各停電灯用電源装置２−ｋの蓄電池２０又は停電灯用電源装置２−ｋ自体に関する状態情報を表示部６５に表示させる。また、情報生成部６４は、制御信号生成部６１から送信アドレスを取得し、送信アドレスに基づいてアドレス情報を状態情報とともに表示部６５に表示させることもできる。これにより、各停電灯装置の個別点検が、各停電灯装置の設置場所ではなくＤＡＬＩマスタ装置４の場所において実施可能となり、詳細でかつ効率的な点検作業が可能となる。
【００３９】
状態情報は、例えば、上記点検動作の開始後に検出電圧が規定時間以上にわたって所定電圧値以上に維持されたか否か、又は検出電流が規定時間以上にわたって所定電流値以上に維持されたか否かの合否判定を示すものであればよい。上記の所定電圧値とは、出力回路４０の出力電圧がＬＥＤアレイ３の順方向電圧Ｖｆ以上となる蓄電池電圧に対応する値である。また、上記の所定電流値とは、必要なＬＥＤ電流に対応する値である。なお、上記の規定時間は、規格によって定められた連続１０分、２０分、３０分、６０分等である。あるいは、点検動作の開始後に、検出電圧又は検出電流が上記所定電圧値又は所定電流値未満となるのに要した時間が状態情報として採用されてもよい。
【００４０】
また、蓄電池２０が劣化してその容量が低下すると、その放電速度が速くなる。したがって、停電灯用電源装置２−ｋからのデータ信号が示す検出電圧の低下速度が規定値を超える場合には、状態情報は、停電灯用電源装置２−ｋの蓄電池２０が劣化していることを示すものであってもよい。また、状態情報は、検出電圧の低下速度の程度に応じて、蓄電池２０の劣化レベル又は寿命の進行度を示すものであってもよい。
【００４１】
点検終了指令時（ユーザ入力、タイマ又はブログラムによって決定されるタイミング）に、制御信号生成部６１は点検終了の指令を示す制御信号を生成し、送信部６２がこの制御信号を停電灯用電源装置２−ｋに送信する。停電灯用電源装置２−ｋの制御部５０において、動作切換部５２は、受信した制御信号に基づいて通常出力動作のためのオン信号を出力する。オン信号によって、ドライバ１６によるＦＥＴ１２のスイッチングが開始され、停電灯用電源装置２−ｋの通常点灯が再開及び維持される。
【００４２】
また、蓄電池２０が劣化してその容量が低下すると、その充電速度が速くなる。したがって、通常点灯の再開直後に、停電灯用電源装置２−ｋからのデータ信号が示す検出電圧の上昇速度又は充電電流の減少速度が規定値を超える場合には、状態情報は、停電灯用電源装置２−ｋの蓄電池２０が劣化していることを示すものであってもよい。また、状態情報は、検出電圧の上昇速度又は充電電流の減少速度の程度に応じて蓄電池２０の劣化レベル又は寿命の進行度を示すものであってもよい。
【００４３】
なお、本例においては、データ信号生成部５３によって生成されるデータ信号は検出電圧値又は検出電流値を示すことが想定されている。言い換えると、情報生成部６４が各検出値に基づいて各種演算又は判定を行うことが想定されている。一方、データ信号生成部５３が、検出電圧値又は検出電流値に基づく演算結果又は蓄電池２０若しくは停電灯用電源装置２に関する判定結果をデータ信号として生成するようにしてもよい。この演算結果は、例えば、検出電圧変化量、この電圧変化に要した時間及び検出電流値（定電流制御による一定の放電電流）から演算される蓄電池２０の推定容量等である。また、上記判定結果は、上記の合否判定結果であってもよいし、放電速度、充電速度、推定容量等に基づく蓄電池２０の正常又は異常の別、劣化レベル、寿命の進行度等であってもよい。
【００４４】
・一斉点検の動作例
次に、通常時に停電灯用電源装置２−１〜２−ｎの一斉点検を行う場合の動作について説明する。ＤＡＬＩマスタ装置４において、入力インターフェイス６０を介して一斉点検の指令がユーザ入力される。制御信号生成部６１は、一斉点検開始の指令を示す制御信号（Ｆｏｒｗａｒｄフレーム）を生成する。例えば、制御信号生成部６１は、アドレスビットをブロードキャストアドレス（１１１１１１１０又は１１１１１１１１）に設定し、データビットを予め定義された点検指令の値（コマンド）に設定する。そして、送信部６２が、この制御信号を各停電灯用電源装置２に送信する。
【００４５】
これに応じて、各停電灯用電源装置２の制御部５０において、動作切換部５２は、受信部５１によって受信された制御信号（点検指令）に基づいて点検動作のためのオフ信号を充電回路１０に出力する。オフ信号によって、ドライバ１６によるＦＥＴ１２のスイッチングが停止される。したがって、各停電灯用電源装置２において、交流電源ＡＣが供給された状態において疑似的な停電状態が形成され、蓄電池２０を電源とする出力回路４０によるＬＥＤアレイ３の点灯が開始される。これにより、ユーザは、各停電灯用電源装置２のＬＥＤアレイ３の点灯（正常）／消灯（異常）の別を確認することができる。
【００４６】
データ信号生成部５３は、点検指令に応じて、検出回路３０によって検出される検出電圧及び検出電流の少なくとも一方に基づくデータ信号（Ｂａｃｋｗａｒｄフレーム）を生成し、送信部５４がこのデータ信号をＤＡＬＩマスタ装置４に送信する。一斉点検の場合、各データ信号は、停電灯用電源装置２−１〜２−ｎの各々のアドレスを含む。この場合、ＢａｃｋｗａｒｄフレームのデータビットＤ７〜Ｄ０のうちの所定ビット（ｎの値に対応する最大６ビット）がアドレスを示し、残余ビットが各停電灯用電源装置２の蓄電池２０又はその停電灯用電源装置２自体の状態を示す。
【００４７】
残余ビットが示す情報は、そのビット数に応じて適宜定められる。残余ビット数が比較的多い場合（ｎが比較的小さい場合）には、上記の個別点検の場合と同様に、検出電圧値又は検出電流値が残余ビットに含まれ得る。一方、残余ビット数が比較的少ない場合（ｎが比較的大きい場合）には、データ信号生成部５３が蓄電池２０若しくは停電灯用電源装置２に関する判定を行い、この判定結果が残余ビットに含まれる。この判定結果は、上述した合否判定結果であってもよいし、放電速度、充電速度、推定容量等の演算結果に基づく蓄電池２０の正常又は異常の別、劣化レベル、寿命の進行度等であってもよい。このような判定結果であれば、１〜２ビットのデータで表現可能である。
【００４８】
ＤＡＬＩマスタ装置４では、受信部６３によって受信されたデータ信号に基づいて、情報生成部６４が、各停電灯用電源装置２のアドレス情報及び状態情報を表示部６５に表示させる。これにより、停電灯装置の点検及び確認作業が、各停電灯装置の設置場所ではなく、ＤＡＬＩマスタ装置４の場所において実施可能となり、点検作業が一層効率的となる。
【００４９】
点検終了指令時（ユーザ入力、タイマ又はプログラムによって決定されるタイミング）に、制御信号生成部６１は一斉点検終了の指令を示す制御信号を生成し、送信部６２がこの制御信号を各停電灯用電源装置２に送信する。各停電灯用電源装置２の制御部５０において、動作切換部５２は、受信した制御信号に基づいて通常出力動作のためのオン信号を出力する。オン信号によって、ドライバ１６によるＦＥＴ１２のスイッチングが開始され、各停電灯用電源装置２の通常点灯が再開及び維持される。
【００５０】
・モニタ処理の動作例
次に、モニタ処理について説明する。点検時だけでなく通常点灯時においても、検出電圧又は検出電流を示すデータ信号が制御部５０において生成され、ＤＡＬＩマスタ装置４において状態情報が表示部６５に表示されるモニタ処理が適用されてもよい。概略として、制御信号がモニタ指令を示す場合に、動作切換部５２は充電回路１０の出力動作を維持するとともに、データ信号生成部５３は検出電圧又は検出電流に基づいてＤＡＬＩ通信規格に準拠したデータ信号を生成する。モニタ処理には、個別モニタ処理及び一斉モニタ処理がある。
【００５１】
個別モニタ処理の場合、制御信号生成部６１は、Ｆｏｒｗａｒｄフレームのアドレスビットを停電灯用電源装置２−ｋに対応するアドレスに設定し、データビットを予め定義されたモニタ指令の値（コマンド）に設定する。そして、送信部６２が、この制御信号を停電灯用電源装置２−ｋに送信する。
【００５２】
これに応じて、停電灯用電源装置２−ｋのデータ信号生成部５３は、受信部５１によって受信された制御信号（モニタ指令）に基づいて、検出回路３０によって検出される検出電圧及び検出電流の少なくとも一方を示すデータ信号（Ｂａｃｋｗａｒｄフレーム）を生成し、送信部５４がこのデータ信号をＤＡＬＩマスタ装置４に送信する。なお、動作切換部５２はモニタ指令には反応せずにオン信号を維持し、したがって充電回路１０は出力動作を維持する。そして、ＤＡＬＩマスタ装置４では、情報生成部６４が、制御信号生成部６１から取得されたアドレス及び受信部６３によって受信されたデータ信号に基づいて、アドレス情報及び状態情報を表示部６５に表示させる。
【００５３】
一斉モニタ処理の場合、制御信号生成部６１は、Ｆｏｒｗａｒｄフレームのアドレスビットをブロードキャストアドレスに設定し、データビットを予め定義されたモニタ指令の値（コマンド）に設定する。そして、送信部６２が、この制御信号を各停電灯用電源装置２に送信する。
【００５４】
これに応じて、各停電灯用電源装置２のデータ信号生成部５３は、受信部５１によって受信されたモニタ指令に基づいて、検出回路３０によって検出される検出電圧及び検出電流の少なくとも一方を示すデータ信号（Ｂａｃｋｗａｒｄフレーム）を生成し、送信部５４がこのデータ信号をＤＡＬＩマスタ装置４に送信する。なお、動作切換部５２はモニタ指令には反応せずにオン信号を維持し、したがって充電回路１０は出力動作を維持する。そして、ＤＡＬＩマスタ装置４では、受信部６３によって受信されたデータ信号に基づいて、情報生成部６４がアドレス情報及び状態情報を表示部６５に表示させる。
【００５５】
上記のようなモニタ処理によって、ユーザは、検出電圧又は検出電流の異常、すなわち蓄電池２０の異常、さらには充電回路１０、出力回路４０又はＬＥＤアレイ３の異常を早期に認識することができる。
【００５６】
また、上記各動作例においては、停電灯用電源装置２−１〜２−ｎに対して個別若しくは一斉の点検処理又は個別若しくは一斉のモニタ処理が行われる構成を示した。一方、ＤＡＬＩ通信のグループアドレス機能を用いて、アドレスビットの所定の設定によって停電灯用電源装置２のグループ毎（１６グループまで）の点検処理又はモニタ処理が実行されてもよい。
【００５７】
以上のように、本実施形態の停電灯制御システム１は、停電灯用電源装置２、ＬＥＤアレイ３及びＤＡＬＩマスタ装置４を含む。そして、停電灯用電源装置２は、蓄電池２０と、入力電源が供給されて蓄電池２０を充電する充電回路１０と、充電回路１０の出力電圧又は蓄電池２０を電源としてＬＥＤアレイ３に電力を供給する出力回路４０と、通信線ＬからＤＡＬＩ通信規格に準拠した制御信号を受信する受信部５１と、制御信号が点検指令を示す場合に充電回路１０の出力を停止させる動作切換部５２とを備える。
【００５８】
すなわち、停電灯用電源装置２では、ＤＡＬＩ通信規格に準拠した制御信号が受信され、その制御信号が点検指令である場合に、充電回路１０の出力が停止されて蓄電池２０を電源とした点灯が行われる。このように、点検動作実施のために汎用的な通信規格であるＤＡＬＩによる制御信号が使用される構成によって、導入容易性及び拡張性の高い停電灯制御システム１、停電灯用電源装置２及び停電灯装置が実現される。
【００５９】
さらに、蓄電池２０の電圧を検出電圧として検出する電圧検出回路３１又は蓄電池２０の充電電流又は放電電流を検出電流として検出する電流検出回路３２が設けられ、検出電圧又は検出電流に基づいてＤＡＬＩ通信規格に準拠したデータ信号を生成するデータ信号生成部５３と、データ信号を通信線Ｌに送出する送信部５４が設けられる。これにより、ＤＡＬＩによる双方向通信を用いて点検作業が行われるので、簡素な構成で点検作業が一層効率的となる。
【００６０】
＜第２の実施形態＞
上記第１の実施形態では、ＤＡＬＩマスタ装置４によって制御されるスレーブ装置が停電灯用電源装置のみである構成を示したが、本実施形態では、他の種類の照明用電源装置もスレーブ装置となる構成を示す。
【００６１】
図４に、本実施形態の停電灯システム１のブロック図を示す。本実施形態において、第１の実施形態と同様の構成には同じ符号を付し、その重複する説明を省略する。図４に示すように、ＤＡＬＩマスタ装置４に対して、停電灯用電源装置２−１〜２−ｘ、ダウンライト用電源装置５−１〜５−ｙ及び誘導灯用電源装置６−１〜６−ｚが接続される。なお、１台のＤＬＡＩマスタに接続できる制御対象装置数は６４であるので、ｘ＋ｙ＋ｚ≦６４である。また、ダウンライト用電源装置５−１〜５−ｙ及び誘導灯用電源装置６−１〜６−ｚを総称して照明用電源装置ともいう。
【００６２】
ダウンライト用電源装置５−１〜５−ｙの各々は、ダウンライトＬｄ、点灯回路７０及び制御部７５を備える。点灯回路７０は、入力電源からダウンライト用の出力電流を生成してその出力電流をダウンライトＬｄに供給する。制御部７５は、ＤＡＬＩマスタ装置４からのＤＡＬＩ形式の制御信号を受信し、その制御信号に応じて点灯回路７０の動作を制御する。誘導灯用電源装置６−１〜６−ｚの各々は、誘導灯Ｌｅ、点灯回路８０及び制御部８５を備える。点灯回路８０は、入力電源から誘導灯用の出力電流を生成してその出力電流を誘導灯Ｌｅに供給する。制御部８５は、ＤＡＬＩマスタ装置４からのＤＡＬＩ形式の制御信号を受信し、その制御信号に応じて点灯回路８０の動作を制御する。例えば、制御部７５は制御信号に応じてダウンライトＬｄを調光制御するように点灯回路７０を制御し、制御部８５は制御信号に応じて点検動作（例えば、誘導灯Ｌｅの点灯及び消灯）を実行するように点灯回路８０を制御する。
【００６３】
グループアドレス機能を使用する場合、例えば、停電灯用電源装置２−１〜２−ｘの部分集合（一部又は全部、以下同じ）がグループアドレス１のグループを構成するものとする。同様に、ダウンライト用電源装置５−１〜５−ｙの部分集合がグループアドレス２のグループを構成し、誘導灯用電源装置６−１〜６−ｚの部分集合がグループアドレス３のグループを構成するものとする。
【００６４】
ＤＡＬＩ信号のＦｏｒｗａｒｄフレームのアドレスビットＹ〜Ａ４を「１００」に設定することによってグループ制御が指定され、アドレスビットＡ３〜Ａ０によってグループアドレスが指定される。なお、アドレスビットＳはコマンド選択に関するビットであり、本例では「０」（ＤｉｒｅｃｔＡｒｃＰｏｗｅｒＣｏｎｔｒｏｌコマンド）であるものとする。例えば、ＤＡＬＩマスタ装置４は、グループアドレス１の停電灯用電源装置２−１〜２−ｘの部分集合を制御する場合にはアドレスビットを「１０００００１０」に設定する。同様に、ＤＡＬＩマスタ装置４は、グループアドレス２のダウンライト用電源装置５−１〜５−ｙの部分集合を制御する場合にはアドレスビットを「１００００１００」に設定し、グループアドレス３の誘導灯用電源装置６−１〜６−ｚの部分集合を制御する場合にはアドレスビットを「１００００１１０」に設定する。
【００６５】
個別アドレス機能を使用する場合には、ＤＡＬＩ信号のＦｏｒｗａｒｄフレームのアドレスビットが、停電灯用電源装置２−１〜２−ｘ、ダウンライト用電源装置５−１〜５−ｙ及び誘導灯用電源装置６−１〜６−ｚの各々を示すように設定される。
【００６６】
グループアドレスが使用される場合の停電灯用電源装置２−１〜２−ｘの点検処理は、第１の実施形態で上述した一斉点検の処理と実質的に同じである。また、個別アドレスが使用される場合の各停電灯用電源装置２の点検処理は、第１の実施形態で上述した個別点検の処理と同じである。
【００６７】
以上のように、本実施形態の停電灯制御システム１は、グループアドレス１を有して停電灯用電源装置２−１〜２−ｘの少なくとも１つを含むグループと、グループアドレス２／３を有する照明用電源装置５−１〜５−ｙ／６−１〜６−ｚの少なくとも１つを含むグループと、ＤＡＬＩマスタ装置４とを備える。ＤＡＬＩマスタ装置４は、グループアドレス１及びグループアドレス２／３にそれぞれＤＡＬＩ通信規格に準拠した個別の制御信号を送信するように構成される。また、ＤＡＬＩマスタ装置４は、各電源装置の個別アドレスにＤＡＬＩ通信規格に準拠した個別の指令を示す制御信号を送信するように構成される。
【００６８】
このように、ＤＡＬＩ通信におけるグループアドレス機能又は個別アドレス機能を用いて停電灯用電源装置２及び他の照明用電源装置の統括的又は個別的な制御が可能となる。これにより、導入容易性及び拡張性の高い停電灯制御システム１が実現される。
【００６９】
＜第３の実施形態＞
上記第１の実施形態では、ＤＡＬＩ規格に準拠する通信信号を用いる構成を示したが、本実施形態では、ＤＭＸ５１２規格に準拠する通信信号が適用される構成を示す。
【００７０】
図５に、本実施形態による停電灯制御システム１のブロック図を示す。本実施形態において、第１の実施形態と同様の構成には同じ符号を付し、その重複する説明を省略する。本実施形態では、ＤＡＬＩマスタ装置４の代わりにＤＭＸマスタ装置７が設けられる。停電灯用電源装置２−１〜２−ｎは、それぞれ商用電源等の交流電源ＡＣに接続されるとともに、ＤＭＸマスタ装置７に三線式の通信線Ｌｘを介してデイジーチェーン接続される。
【００７１】
ＤＭＸ５１２は一方向通信用であるため、停電灯用電源装置２からＤＭＸマスタ装置７にデータ信号は送信されない。したがって、停電灯用電源装置２において、第１の実施形態が有していたようなデータ信号に関係する検出回路３０、データ信号生成部５３及び送信部５４は設けられない。また、制御部５０は、信号線Ｌｘからの信号を受信及び取得するとともに下流側の停電灯用電源装置２に転送するための入力部５５を備える。
【００７２】
ＤＭＸマスタ装置７からのＤＭＸ５１２による制御信号は、開始シーケンスのスロット及び第１〜第５１２のデータスロット（すなわち、５１３個のスロット）で構成され、各スロットは８ビットからなる。ＤＭＸマスタ装置７と各停電灯用電源装置２との間では、何番目のデータスロットがどの停電灯用電源装置２に対応するかについて予めアドレス設定されている。したがって、各停電灯用電源装置２の動作切換部５２は、入力部５５によって受信される制御信号の開始からのバイト数をカウントし、自身のアドレスに対応するスロットのみを抽出して、制御信号が示す指令を識別する。
【００７３】
ＤＭＸマスタ装置７は、入力インターフェイス９０、制御信号生成部９１及び送信部９２を含み、例えば制御盤を構成する。入力インターフェイス９０は、ユーザ入力を受け付ける操作部である。
【００７４】
制御信号生成部９１は、ユーザ入力に基づいて停電灯用電源装置２の各々の動作指令を示す制御信号を生成する。送信部９２は、この制御信号の符号化を行い、その制御信号を通信線Ｌｘに送出して各停電灯用電源装置２に送信する。
【００７５】
動作切換部５２は、識別された指令が点検指令である場合には、ドライバ１６にオフ信号を出力してＦＥＴ１２のスイッチングを停止させ、充電回路１０の出力を停止させる。また、動作切換部５２は、識別された指令が通常点灯指令である場合には、ドライバ１６にオン信号を出力してＦＥＴ１２のスイッチングを開始させ、充電回路１０の出力を再開及び維持する。
【００７６】
以上のように、本実施形態の停電灯用電源装置２は、蓄電池２０と、入力電源が供給されて蓄電池２０を充電する充電回路１０と、充電回路１０の出力電圧又は蓄電池２０の電圧を電源としてＬＥＤアレイ３に電力を供給する出力回路４０と、通信線ＬｘからＤＭＸ５１２通信規格に準拠した制御信号を受信する受信部５１と、制御信号が点検指令を示す場合に充電回路１０の出力を停止させる動作切換部５２とを備える。
【００７７】
すなわち、停電灯用電源装置２では、ＤＭＸ５１２通信規格に準拠した制御信号が受信され、その制御信号が点検指令である場合に、充電回路１０の出力が停止されて蓄電池２０による点灯が行われる。これにより、点検動作実施のために汎用的な通信規格であるＤＭＸ５１２による制御信号が使用される構成によって、導入容易性及び拡張性の高い停電灯制御システム１、停電灯用電源装置２及び停電灯装置が実現される。
【００７８】
＜変形例＞
以上に本発明の好適な実施形態を示したが、本発明は、例えば以下に示すように種々の態様に変形可能である。
【００７９】
（１）光源に関する変形
上記各実施形態において、停電灯装置の光源としてＬＥＤアレイ３を例示したが、停電灯装置の光源は放電灯等の他の種類の光源であってもよい。この場合、出力回路４０として、採用される光源に適した回路が適用されるものとする。
【００８０】
（２）充電回路１０の変形
上記各実施形態では、充電回路１０をフライバックコンバータで構成したが、１次側（入力側）と２次側（蓄電池２０側）とが絶縁されていれば、充電回路１０として、フォワードコンバータ、プッシュプルコンバータ、フルブリッジ回路及び絶縁トランスを用いたコンバータ等、他の形式のコンバータが採用されてもよい。
【符号の説明】
【００８１】
１  停電灯制御システム
２、２−１〜２−ｎ、２−ｘ  停電灯用電源装置
３、３−１〜３−ｎ  ＬＥＤアレイ（光源）
４  ＤＡＬＩマスタ装置
５−１〜５−ｙ  ダウンライト用電源装置（照明用電源装置）
６−１〜６−ｚ  誘導灯用電源装置（照明用電源装置）
７  ＤＭＸマスタ装置
１０  充電回路
２０  蓄電池
３０  検出回路
３１  電圧検出回路
３２  電流検出回路
４０  出力回路
５０  制御部
５１  受信部
５２  動作切換部
５３  データ信号生成部
５４  送信部
５５  入力部
６１  制御信号生成部
６２  送信部
６３  受信部
６４  情報生成部
６５  表示部
Ｌ、Ｌｘ  通信線
【図１】
2018073601.tif 000003
【図２】
2018073601.tif 000004
【図３】
2018073601.tif 000005
【図４】
2018073601.tif 000006
【図５】
2018073601.tif 000007